【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
筒状のベルトと、
前記ベルトの外面側に設けられた加圧ローラと、
前記ベルトの内面側に設けられ、前記加圧ローラと共にニップ部を形成するニップ板であって、長手方向が第１方向であり短手方向が第２方向であるニップ板と、
前記第１方向が長手方向になるように前記ベルトの中空部に設けられ、前記第１方向と前記第２方向の双方に垂直な第３方向に見たときに前記ニップ板とオーバーラップするように配置されたハロゲンヒーターであって、内部にガスが充填され長手端部を封止する封止部を有するガラス管と、前記ガラス管の内部に設けられたフィラメントと、前記封止部に設けられ前記封止部から前記ガラス管の外に突出している外部リード線と、前記フィラメントと前記外部リード線とを電気的に接続するように前記封止部に設けられた金属箔と、を有するハロゲンヒーターと、
前記第１方向が長手方向であり、前記ハロゲンヒーターの輻射光を反射する反射部材であって、前記第３方向に見たときに前記ニップ板とオーバーラップしている反射部材と、
を備え、前記ニップ部において記録材を搬送し画像を記録材に定着する定着装置において、
前記ガラス管の前記封止部には、前記金属箔の面を覆い且つ前記第３方向を向いている平面部であって、前記第３方向に見たときに前記反射部材から露出している平面部が設けられていることを特徴とする定着装置。
【請求項２】
筒状のベルトと、
前記ベルトの外面側に設けられた加圧ローラと、
前記ベルトの内面側に設けられ、前記加圧ローラと共にニップ部を形成するニップ板であって、長手方向が第１方向であり短手方向が第２方向であるニップ板と、
前記第１方向が長手方向になるように前記ベルトの中空部に設けられ、前記第１方向と前記第２方向の双方に垂直な第３方向に見たときに前記ニップ板とオーバーラップするように配置されたハロゲンヒーターであって、内部にガスが充填され長手端部を封止する封止部を有するガラス管と、前記ガラス管の内部に設けられたフィラメントと、前記封止部に設けられ前記封止部から前記ガラス管の外に突出している外部リード線と、前記フィラメントと前記外部リード線とを電気的に接続するように前記封止部に設けられた金属箔と、を有するハロゲンヒーターと、
前記第１方向が長手方向であり、前記ハロゲンヒーターの輻射光を反射する反射部材であって、前記第３方向に見たときに前記ニップ板とオーバーラップしている反射部材と、
を備え、前記ニップ部において記録材を搬送し画像を記録材に定着する定着装置において、
前記第１方向において前記ハロゲンヒーターの長手中央に近い側を内側、前記ハロゲンヒーターの前記長手中央から遠い側を外側としたときに、
前記金属箔の内側の端である内側端は、前記第１方向において前記金属箔と同じ側の前記ニップ板の長手端よりも内側にあり、前記金属箔と同じ側の前記反射部材の長手端よりも外側にあることを特徴とする定着装置。
【請求項３】
前記第１方向において前記ハロゲンヒーターの長手中央に近い側を内側、前記ハロゲンヒーターの前記長手中央から遠い側を外側としたときに、
前記金属箔の内側の端である内側端は、前記第１方向において前記金属箔と同じ側の前記ニップ板の長手端よりも内側にあり、前記金属箔と同じ側の前記反射部材の長手端よりも外側にあることを特徴とする請求項１に記載の定着装置。
【請求項４】
前記第１方向において前記ハロゲンヒーターの長手中央に近い側を内側、前記ハロゲンヒーターの前記長手中央から遠い側を外側としたときに、
前記金属箔は、前記第１方向において前記金属箔と同じ側の前記反射部材の端面のうち最も外側の部分よりも外側にあることを特徴とする請求項１または２に記載の定着装置。
【請求項５】
前記第３方向に見たとき、前記反射部材は、前記金属箔とオーバーラップしていないことを特徴とする請求項１に記載の定着装置。
【請求項６】
前記反射部材は、前記第１方向に見たとき、前記第２方向に延びる部分である第１部分と、
前記第２方向における前記第１部分の一端部から前記第３方向であって前記加圧ローラに近づく方向に延びる部分である第２部分と、前記第２方向における前記第１部分の他端部から前記第３方向であって前記加圧ローラに近づく方向に延びる部分である第３部分と、を有することを特徴とする請求項１乃至５のいずれか一項に記載の定着装置。
【請求項７】
前記第３方向に見たとき、前記ハロゲンヒーターは、前記ニップ板の前記第２方向における中央とオーバーラップする位置に設けられていることを特徴とする請求項１乃至６のいずれか一項に記載の定着装置。
【請求項８】
前記ハロゲンヒーターは、１本のみ設けられていることを特徴とする請求項７に記載の定着装置。
【請求項９】
前記ベルトは、可撓性を有することを特徴とする請求項１乃至７のいずれか一項に記載の定着装置。
【請求項１０】
前記ニップ板の前記第１方向の長さは、前記反射部材の前記第１方向の長さよりも長いことを特徴とする請求項１乃至９のいずれか一項に記載の定着装置。
【請求項１１】
前記フィラメントは、らせん状に密に巻かれている複数のコイル部を含み、
前記複数のコイル部は、前記第１方向において等間隔に並んでいることを特徴とする請求項１乃至１０のいずれか一項に記載の定着装置。
【請求項１２】
前記第１方向において前記ハロゲンヒーターの長手中央に近い側を内側、前記ハロゲンヒーターの長手中央から遠い側を外側としたときに、
前記第１方向における前記ハロゲンヒーターの一端側及び他端側において前記複数のコイル部のうち最も外側にあるコイル部をそれぞれ第１コイル部及び第２コイル部としたときに、前記第１コイル部の外側の端から第２コイル部の外側の端までの長さは、前記反射部材の前記第１方向における長さよりも短いことを特徴とする請求項１１に記載の定着装置。
【請求項１３】
前記第１方向において前記ハロゲンヒーターの長手中央に近い側を内側、前記ハロゲンヒーターの長手中央から遠い側を外側としたときに、
前記反射部材の前記第１方向の端は、前記第１方向において前記反射部材の前記端と同じ側にある前記複数のコイル部のうち最も外側のコイル部の外側の端と、前記金属箔の内側の端である内側端の間に配置されることを特徴とする請求項１１に記載の定着装置。
【請求項１４】
前記金属箔は、モリブデン箔であることを特徴とする請求項１乃至１２のいずれか一項
に記載の定着装置。
【手続補正２】
【補正対象書類名】明細書
【補正対象項目名】０００６
【補正方法】変更
【補正の内容】
【０００６】
上記課題を解決するための好適な実施形態の一つ目は、筒状のベルトと、前記ベルトの外面側に設けられた加圧ローラと、前記ベルトの内面側に設けられ、前記加圧ローラと共にニップ部を形成するニップ板であって、長手方向が第１方向であり短手方向が第２方向であるニップ板と、前記第１方向が長手方向になるように前記ベルトの中空部に設けられ、前記第１方向と前記第２方向の双方に垂直な第３方向に見たときに前記ニップ板とオーバーラップするように配置されたハロゲンヒーターであって、内部にガスが充填され長手端部を封止する封止部を有するガラス管と、前記ガラス管の内部に設けられたフィラメントと、前記封止部に設けられ前記封止部から前記ガラス管の外に突出している外部リード線と、前記フィラメントと前記外部リード線とを電気的に接続するように前記封止部に設けられた金属箔と、を有するハロゲンヒーターと、前記第１方向が長手方向であり、前記ハロゲンヒーターの輻射光を反射する反射部材であって、前記第３方向に見たときに前記ニップ板とオーバーラップしている反射部材と、を備え、前記ニップ部において記録材を搬送し画像を記録材に定着する定着装置において、前記ガラス管の前記封止部には、前記金属箔の面を覆い且つ前記第３方向を向いている平面部であって、前記第３方向に見たときに前記反射部材から露出している平面部が設けられていることを特徴とする。
上記課題を解決するための好適な実施形態の２つ目は、筒状のベルトと、前記ベルトの外面側に設けられた加圧ローラと、前記ベルトの内面側に設けられ、前記加圧ローラと共にニップ部を形成するニップ板であって、長手方向が第１方向であり短手方向が第２方向であるニップ板と、前記第１方向が長手方向になるように前記ベルトの中空部に設けられ、前記第１方向と前記第２方向の双方に垂直な第３方向に見たときに前記ニップ板とオーバーラップするように配置されたハロゲンヒーターであって、内部にガスが充填され長手端部を封止する封止部を有するガラス管と、前記ガラス管の内部に設けられたフィラメントと、前記封止部に設けられ前記封止部から前記ガラス管の外に突出している外部リード線と、前記フィラメントと前記外部リード線とを電気的に接続するように前記封止部に設けられた金属箔と、を有するハロゲンヒーターと、前記第１方向が長手方向であり、前記ハロゲンヒーターの輻射光を反射する反射部材であって、前記第３方向に見たときに前記ニップ板とオーバーラップしている反射部材と、を備え、前記ニップ部において記録材を搬送し画像を記録材に定着する定着装置において、前記第１方向において前記ハロゲンヒーターの長手中央に近い側を内側、前記ハロゲンヒーターの前記長手中央から遠い側を外側としたときに、前記金属箔の内側の端である内側端は、前記第１方向において前記金属箔と同じ側の前記ニップ板の長手端よりも内側にあり、前記金属箔と同じ側の前記反射板の長手端よりも外側にあることを特徴とする。